(57)【要約】【課題】  原稿カバーがプラテンカバーから自動原稿搬送装置に付け替えられたことにより、ユーザの操作癖により等の原因で原稿サイズ検知装置が誤検知をする確率を低くする。【解決手段】  原稿カバーの開閉角度に応じた連続的な値を出力する開閉検知手段を用い、該開閉検知手段の出力に基づいて原稿サイズ判定手段が原稿サイズを判定する。【選択図】        図３
2005338685.tif 000002
【特許請求の範囲】
【請求項１】
原稿が載置されるプラテンガラス、
該プラテンガラスの一端部近傍で回転可能に支持され、前記プラテンガラスを開放する開状態と前記プラテンガラスを覆う閉状態に移動可能な原稿カバー、
原稿を照射する発光素子及び原稿からの反射光を受光する受光素子を有し、前記プラテンガラスの下方に配置された原稿サイズ検知手段、
前記原稿カバーの開閉角度を検知し、該開閉角度の変化を連続的な値として出力する開閉検知手段並びに、
前記開閉検知手段の前記出力から、前記原稿カバーが所定角度まで閉じられたときに、前記原稿サイズ検知手段の出力を読み取り、原稿サイズを判定する原稿サイズ判定手段、
を有する原稿サイズ検知装置であって、
前記原稿サイズ判定手段は、前記原稿カバーが完全に開いたときの前記開閉検知手段の出力レベルＬｍａｘと、前記原稿カバーが完全に閉じた時の前記開閉検知手段の出力レベルＬｍｉｎとに基づいて検知タイミングを決定し、少なくとも一つの原稿サイズ検知を実行することを特徴とする原稿サイズ検知装置。
【請求項２】
前記原稿サイズ判定手段は、前記開閉検知手段の出力が前記出力レベルＬｍａｘ、Ｌｍｉｎ間の所定値となったときに、前記原稿サイズ検知を実行することを特徴とする請求項１に記載の原稿サイズ検知装置。
【請求項３】
原稿が載置されるプラテンガラス、
該プラテンガラスの一端部近傍で回転可能に支持され、前記プラテンガラスを開放する開状態と前記プラテンガラスを覆う閉状態に移動可能な原稿カバー、
原稿を照射する発光素子及び原稿からの反射光を受光する受光素子を有し、プラテンガラスの下方に配置された原稿サイズ検知手段、
原稿カバーの開閉角度を検知し、該開閉角度の変化を連続的な値として出力する開閉検知手段並びに、
前記開閉検知手段の前記出力から、前記原稿カバーが所定角度まで閉じられたときに、前記原稿サイズ検知手段の出力を読み取り、原稿サイズを判定する原稿サイズ判定手段、
を有する原稿サイズ検知装置であって、
前記原稿サイズ検知手段は、前記原稿カバーの開閉のための回転軸から異なる距離に配置された複数のセンサを有し、
前記原稿サイズ判定手段は、前記複数のセンサの一つの出力のハイ・ロー切換タイミングに基づいて設定されたタイミングで、少なくとも一つの原稿サイズ検知を実行することを特徴とする原稿サイズ検知装置。
【請求項４】
前記設定されたタイミングは、前記ハイ・ロー切換タイミングに対応する前記開閉検知手段に出力のレベルよりも所定値高いレベルを前記開閉検知手段が出力するタイミングであることを特徴とする請求項３に記載の原稿サイズ検知装置。
【請求項５】
前記ハイ・ロー切換タイミングは、前記複数のセンサの出力のうちの前記原稿カバーの最も開放側のハイ・ロー切換タイミングであることを特徴とする請求項３又は請求項４に記載の原稿サイズ検知装置。
【請求項６】
前記原稿カバーが完全に開いたときの前記開閉検知手段の出力レベルＬｍａｘと、前記原稿カバーが完全に閉じた時の前記開閉検知手段の出力レベルＬｍｉｎとするとき、
前記所定値は、前記Ｌｍａｘと前記Ｌｍｉｎとの間の値であることを特徴とする請求項４に記載の原稿サイズ検知装置。
【請求項７】
前記原稿サイズ判定手段は、前記原稿カバーがほぼ完全に閉じた状態で他の原稿サイズ検知を実行することを特徴とする請求項１〜６のいずれか１項に記載の原稿サイズ検知装置。
【請求項８】
前記所定値の情報を記憶する記憶手段を有することを特徴とする請求項２又は請求項６に記載の原稿サイズ検知装置。
【請求項９】
前記情報は書き換え可能であることを特徴とする請求項８に記載の原稿サイズ検知装置。
【発明の詳細な説明】
【技術分野】
【０００１】
本発明は、複写機、ファクシミリ、スキャナ等において用いられる原稿サイズ検知装置に関し、特に、プラテンガラスに載置された原稿のサイズを検知する原稿サイズ検知装置に関する。
【背景技術】
【０００２】
画像読取装置や複写機等では、一般に、原稿サイズを検知して原稿サイズに適合した画像読取や画像形成を自動的に行う機能を備えており、オペレータは原稿を自動原稿搬送装置に装填するか又はプラテンガラス上に載置するだけで所望の作業を行うことができる。すなわち、複写機では記録紙の選択をオペレータが行う必要がなく、機械が原稿サイズに合った記録紙を自動的に選択して複写を行う。
【０００３】
自動原稿搬送装置で原稿を読み取り位置に搬送して原稿を読み取る機能とプラテンガラス上に載置された原稿を読み取る機能とを有する原稿読取装置が一般的であるが、このような原稿読み取り装置では、搬送される原稿のサイズを検知する原稿サイズ検知装置とプラテンガラス上に載置された原稿のサイズを検知する原稿サイズ検知装置が必要である。
【０００４】
プラテンガラス上に載置された原稿のサイズを検知する原稿サイズ検知装置では、原稿カバーを開き、プラテンガラスに原稿を載置し、原稿カバーを閉じるという操作の中で原稿サイズ検知が行われることが望まれており、原稿サイズ検知のため特別の操作をオペレータに負わせることは望ましくない。また、原稿の本走査に先立って原稿サイズ検知のための前走査を行う方式も、原稿読取に要するトータルの時間が長くなるために望ましくない。
【０００５】
このような理由で原稿カバーを閉じる過程で原稿サイズ検知を行う技術が開発されており実用化されている。
【０００６】
図１によりプラテンガラス上の原稿のサイズを検知する従来技術の典型的な例を示す。
【０００７】
原稿カバー１を開いた状態でプラテンガラス３上に原稿２を載置し、次に、原稿カバー１を閉じて、原稿読取が行われる。
【０００８】
原稿カバー１を閉じる過程において、開閉検知手段ＳＢが原稿カバー１の閉じ動作を検知し、この検知信号を受け取ったタイミングで原稿サイズ判定手段４が原稿サイズ検知手段ＳＡ１、ＳＡ２の出力を読み取って、原稿サイズを判定する。開閉検知手段は、原稿カバーが一定角度まで閉じたときにオン・オフするスイッチからなる。
【０００９】
また、原稿カバー１が完全に閉じたことを検知する開閉検知手段ＳＣの信号を受け取ったタイミングで原稿サイズ判定手段４が原稿サイズ検知手段ＳＡ１、ＳＡ２の出力を読み取って原稿サイズを判定する。
【００１０】
開閉検知手段ＳＢの検知タイミングで行われる原稿サイズ判定は、主として白紙原稿に対する判定であり、開閉検知手段ＳＣの検知タイミングで行われる原稿サイズ判定は色紙原稿に対する判定である。
【００１１】
原稿サイズ検知手段ＳＡ１、ＳＡ２の読取はオン・オフの読取であり、各原稿サイズ検知手段のオン・オフの別により原稿サイズが判定される。
【００１２】
しかるに、原稿カバーの開閉操作は一定しておらず、開閉速度、原稿カバーの取り扱い等において様々であるために開閉検知手段ＳＢのオン・オフタイミングに誤差を生じ誤検知が起こるという問題があり、誤検知を防止する技術が開発されている。
【００１３】
特許文献１では、原稿カバーの曲がりを検知した信号と、原稿カバーが所定角度に開いていることを検知した信号と、原稿サイズ検知手段の信号とに基づいて原稿サイズを検知することにより、誤検知を防止することが提案されている。
【００１４】
特許文献２では、原稿カバーの閉じ動作信号により原稿サイズを検知した信号と、コピースタート時における原稿サイズ検知信号とに基づいて原稿サイズを検知することが提案されている。
【特許文献１】特開平１０−２２１７８８号公報
【特許文献２】特開平９−２４３３３１号公報
【発明の開示】
【発明が解決しようとする課題】
【００１５】
プラテンガラス上の原稿のサイズを検知する従来の技術では、誤検知の確率を十分に低くすることができず、不満足なものであった。
【００１６】
その原因は主として、原稿サイズ検知タイミングを決める図１における開閉検知手段ＳＢの作動に誤差があることにある。特に、原稿カバーとして、原稿抑え機能のみを有するプラテンカバーから、自動原稿搬送装置に切り換えた場合に開閉検知手段ＳＢの作動タイミングに違いが出ることによる検知誤差が生ずる。
【００１７】
また、原稿カバーの開閉動作の遅速により誤検知が起こる。すなわち、開閉検知手段ＳＢの作動タイミングを基準とし、該作動タイミングから所定時間後に原稿サイズ検知手段ＳＡ１、ＳＡ２の出力の読取が行われるが、閉じ動作の遅い・速いの違いにより、原稿サイズ検知手段の検知信号のレベルに相違が出て誤検知をすることになる。そして、開閉検知手段ＳＢの前記の作動誤差と原稿カバーの操作の遅速とが相俟って更に誤検知の確率が高くなる。
【００１８】
このような問題は、特許文献１、２によっては解決されない。
【００１９】
従って、本発明の目的は、プラテンガラスに載置された原稿の原稿サイズを検知する従来の技術における前記の問題を解決し、誤検知の発生確率のきわめて少ない原稿サイズ検知装置を提供することを目的とする。
【課題を解決するための手段】
【００２０】
前記の本発明の目的は、下記の発明により達成される。
１．
原稿が載置されるプラテンガラス、
該プラテンガラスの一端部近傍で回転可能に支持され、前記プラテンガラスを開放する開状態と前記プラテンガラスを覆う閉状態に移動可能な原稿カバー、
原稿を照射する発光素子及び原稿からの反射光を受光する受光素子を有し、前記プラテンガラスの下方に配置された原稿サイズ検知手段、
前記原稿カバーの開閉角度を検知し、該開閉角度の変化を連続的な値として出力する開閉検知手段並びに、
前記開閉検知手段の前記出力から、前記原稿カバーが所定角度まで閉じられたときに、前記原稿サイズ検知手段の出力を読み取り、原稿サイズを判定する原稿サイズ判定手段、
を有する原稿サイズ検知装置であって、
前記原稿サイズ判定手段は、前記原稿カバーが完全に開いたときの前記開閉検知手段の出力レベルＬｍａｘと、前記原稿カバーが完全に閉じた時の前記開閉検知手段の出力レベルＬｍｉｎとに基づいて検知タイミングを決定し、少なくとも一つの原稿サイズ検知を実行することを特徴とする原稿サイズ検知装置。
２．
前記原稿サイズ判定手段は、前記開閉検知手段の出力が前記出力レベルＬｍａｘ、Ｌｍｉｎ間の所定値となったときに、前記原稿サイズ検知を実行することを特徴とする前記１に記載の原稿サイズ検知装置。
３．
原稿が載置されるプラテンガラス、
該プラテンガラスの一端部近傍で回転可能に支持され、前記プラテンガラスを開放する開状態と前記プラテンガラスを覆う閉状態に移動可能な原稿カバー、
原稿を照射する発光素子及び原稿からの反射光を受光する受光素子を有し、プラテンガラスの下方に配置された原稿サイズ検知手段、
原稿カバーの開閉角度を検知し、該開閉角度の変化を連続的な値として出力する開閉検知手段並びに、
前記開閉検知手段の前記出力から、前記原稿カバーが所定角度まで閉じられたときに、前記原稿サイズ検知手段の出力を読み取り、原稿サイズを判定する原稿サイズ判定手段、
を有する原稿サイズ検知装置であって、
前記原稿サイズ検知手段は、前記原稿カバーの開閉のための回転軸から異なる距離に配置された複数のセンサを有し、
前記原稿サイズ判定手段は、前記複数のセンサの一つの出力のハイ・ロー切換タイミングに基づいて設定されたタイミングで、少なくとも一つの原稿サイズ検知を実行することを特徴とする原稿サイズ検知装置。
４．
前記設定されたタイミングは、前記ハイ・ロー切換タイミングに対応する前記開閉検知手段に出力のレベルよりも所定値高いレベルを前記開閉検知手段が出力するタイミングであることを特徴とする前記３に記載の原稿サイズ検知装置。
５．
前記ハイ・ロー切換タイミングは、前記複数のセンサの出力のうちの前記原稿カバーの最も開放側のハイ・ロー切換タイミングであることを特徴とする前記３又は前記４に記載の原稿サイズ検知装置。
６．
前記原稿カバーが完全に開いたときの前記開閉検知手段の出力レベルＬｍａｘと、前記原稿カバーが完全に閉じた時の前記開閉検知手段の出力レベルＬｍｉｎとするとき、
前記所定値は、前記Ｌｍａｘと前記Ｌｍｉｎとの間の値であることを特徴とする前記４に記載の原稿サイズ検知装置。
７．
前記原稿サイズ判定手段は、前記原稿カバーがほぼ完全に閉じた状態で他の原稿サイズ検知を実行することを特徴とする前記１〜６のいずれか１項に記載の原稿サイズ検知装置。
８．
前記所定値の情報を記憶する記憶手段を有することを特徴とする前記２又は前記６に記載の原稿サイズ検知装置。
９．
前記情報は書き換え可能であることを特徴とする前記８に記載の原稿サイズ検知装置。
【発明の効果】
【００２１】
請求項１〜９のいずれか１項に記載の発明により、開閉検知手段による原稿カバーの開閉の検知誤差に起因して起こる原稿サイズ検知タイミングのずれによる原稿サイズの誤検知が良好に防止される。
【００２２】
請求項１、２又は６の発明により、原稿搬送機能のないプラテンカバーと自動原稿搬送装置とによる、開閉検知手段の角度検知の差によるオフセット誤差を除去して検知が行われるので、プラテンカバーと自動原稿搬送装置との付け替え時に起りやすいサイズ検知誤差がきわめて少なくなる。
【００２３】
請求項３、４又は５の発明により、原稿による原稿サイズ検知手段のハイ・ロー切換と原稿カバーによる原稿サイズ検知手段のハイ・ロー切換とが確実に分離して検知されるので、原稿サイズの誤検知の発生確率をきわめて低くすることが可能となる。
【００２４】
請求項６の発明により、白紙原稿と色紙原稿のサイズを確実、且つ、正確に検知することができる。
【００２５】
請求項７又は８の発明により、製造工程、装置の設置時、メンテナンス時等において、原稿サイズ検知装置の性能を最高に設定することが可能となる。
【発明を実施するための最良の形態】
【００２６】
図２は本発明の実施の形態に係る図原稿サイズ検知装置を示す図である。
【００２７】
１は原稿カバーであり、図示の例では原稿搬送機能の持たず原稿抑え機能のみを有するプラテンカバーが用いられているが、自動原稿搬送装置であっても良い、
原稿抑えカバー１は右端において画像形成装置に、回転による開閉自在に支持されている。３はプラテンガラスであり、原稿２がプラテンガラス３上に載置される。ＳＡ１、ＳＡ２は原稿サイズ検知手段を構成し、ＬＥＤからなり原稿を照射する発光素子と、ホトトランジスタからなり原稿からの反射光を受光する受光素子からなるセンサである。図では、２個のセンサが示されているが、縦横方向の原稿サイズを検知する数個のセンサが設けられる。なお、原稿の長さを検知するラインセンサを用いることもできる。４はＣＰＵで構成される原稿サイズ判定手段であり、原稿サイズ検知装置全体の制御とサイズ検知を行う。５は不揮発メモリからなる記憶手段であり、後に説明する原稿サイズ検知のタイミングの情報を記憶する。６は操作部であり、記憶手段５に前記タイミングの情報を記憶を書き込む指示をする操作が操作部６から行われる。
【００２８】
ＳＢは原稿カバーの開閉を検知する開閉検知手段であり、円板状の摺動抵抗体７、摺動抵抗体７に接触する電極８、原稿カバー１の開閉により上下するアクチュエータ９、アクチュエータ９に連結され、アクチュエータ９の上下に連動して回転するレバー１０からなる。
【００２９】
摺動抵抗体７はレバー１０と一体であり、原稿カバー１の開閉角度に応じて、摺動抵抗体７が回転し、摺動抵抗体７の回転角度が電極８により検知され、連続的な値が出力される。
【００３０】
複写に当たっては、原稿カバー１を開いて原稿２をプラテンガラス３に載置し、原稿カバー１を閉じることにより、図示しない原稿走査手段が原稿２を走査して原稿の画像が読み取られる。原稿走査手段は、原稿２を照射しつつプラテンガラス３に沿って移動して原稿を走査し画像を読み取る周知のものである。
【００３１】
図３は本発明の実施の形態１に係る原稿サイズ検知装置の作動を示す。図において、ｗは開閉検知手段ＳＢの出力を、ｘはセンサＳＡ１の出力を、ｙはセンサＳＡ２を出力をそれぞれ示す。図示のように、開閉検知手段ＳＢは、原稿カバー１が完全に開いた状態で最高レベルＬｍａｘを出力し、原稿カバー１を閉じるに従って、連続的に減少して、原稿カバー１を完全に閉じた状態で最低レベルＬｍｉｎを出力する。
【００３２】
センサＳＡ１、ＳＡ２は、原稿カバー１が開いている状態では、照射光の反射光がセンサＳＡ１、ＳＡ２に入射しないので、ローレベルにあり、原稿カバー１が閉じられる過程で、プラテンガラス３に平行に近くなったところで、原稿カバー１を照射し、反射した光がセンサＳＡ１、ＳＡ２に入射して、センサＳＡ１、ＳＡ２の出力は、ローレベルからハイレベルに切り替わる。そして、原稿カバー１が完全にプラテンガラス３に平行でない状態では、原稿カバー１とプラテンガラス３間の距離が原稿カバー１の回転軸１ａからの距離により異なるので、該距離が異なる位置に配置されたセンサＳＡ１とセンサＳＡ２とでは、ハイ・ロー切換のタイミングが図示のように異なる。
【００３３】
センサＳＡ１、ＳＡ２は、プラテンガラス３上の原稿２を検知したときは、点線で示すように、原稿からの反射光を受光してハイレベルを出力する。図示の例では、サンサＳＡ１が点線で示すように原稿２を検知し、ＳＡ２が原稿を検知しない場合を示す。このように、原稿カバー２からの反射光を受光しないタイミングでセンサＳＡ１、ＳＡ２の出力を読み取ることにより、原稿２の有無が検知され、複数のセンサの出力を読み取ることにより、原稿サイズが検知される。
【００３４】
図では、２個のセンサが示されているが、原稿の縦、横方向に複数のセンサが並列配置され、Ａ系列、Ｂ系列、インチ系列、不定形サイス等の実際に使用される原稿の全てのサイズを検知することができる。
【００３５】
原稿サイズ判定手段４は、タイミングＴ１、Ｔ２で、センサＳＡ１、ＳＡ２の出力を読み取り原稿サイズ検知を行う。
【００３６】
タイミングＴ１は白紙原稿の検知タイミングであり、原稿有りでハイレベル、原稿無しでローレベルの出力がセンサＳＡ１、ＳＡ２から出力される。タイミングＴ２は色紙原稿の検知タイミングであり、原稿有りでローレベル、原稿無しでハイレベルの出力がセンサＳＡ１、ＳＡ２から出力される。
【００３７】
従って、原稿判定手段４はタイミングＴ１における原稿サイズ検知とタイミングＴ２における原稿サイズ検知とを反対の論理処理により行う。
【００３８】
タイミングＴ１は開閉検知手段ＳＢの出力が所定の第１レベルＬ１になったときであり、タイミングＴ２は開閉検知手段ＳＢが所定の第２レベルＬ２になったときである。
【００３９】
第１レベルＬ１、第２レベルＬ２は最高レベルＬｍａｘ−最低レベルＬｍｉｎを１００とした１００より小さい値のパーセンテージで設定される。すなわち、レベルＬ１、Ｌ２はＬｍａｘとＬｍｉｎとの間に入る値に設定される。Ｌ１はＬｍａｘとＬｍｉｎとの中間値が好ましく、Ｌ２はＬｍｉｎに近い値が好ましい。いずれの所定値も、タイミングＴ１、Ｔ２がセンサＳＡ１、ＳＡ２のハイ、ロー切換点Ｔ３、Ｔ４から十分に離れたタイミングとなる値に設定される。
【００４０】
所定レベルＬ１、Ｌ２はこのように、最高レベルＬｍａｘと最低レベルＬｍｉｎとを用いて設定された相対値であるので、原稿サイズ検知装置の個々の特性の違いや、設置条件の違い等による誤差がきわめて少なく、サイズの誤検知の発生確率をきわめて低い値にすることができる。
【００４１】
特に、実用上最も多い白紙原稿のサイズを検知するタイミングＴ１は、従来では、原稿サイズ検知装置個々の特性や設置条件によりバラツキが多く誤判定が起きやすかった。このような誤検知で多いのは、プラテンカバーと自動原稿搬送装置との付け替え時に起こるものであり、プラテンカバー時の開閉検知手段ＳＢの出力と自動原稿搬送装置時の開閉検知手段ＳＢの出力間に一定の出力差がでるオフセット誤差によるものであった。前記の検知方法によりオフセット誤差で代表される誤判定を良好に防止することができる。
【００４２】
所定レベルＬ１、Ｌ２の情報は記憶手段５に記憶される。そして、記憶手段５に記憶された前記情報は装置の工場出荷時の調整で設定された後に、装置の稼働位置に設置する時、たとえば、原稿カバーをプラテンカバーから自動原稿搬送装置切り換える時、メンテナンス時、サービスコール時等に最適値に書き換えられる。
【００４３】
図４は原稿サイズ検知装置の特性や設置条件により誤検知が起こる場合を示す。図４では、タイミングＴ１がタイミングＴ３、Ｔ４に接近したために、原稿サイズ検知センサＳＡ１の出力の反転後に原稿サイズの検知が行われる例であり、この例では、原稿カバー１の閉じ動作により起こっている原稿サイズ検知手段ＳＡ１のハイレベルへの反転が原稿検知によるものと誤判断される。
【００４４】
本実施の形態では、このような誤検知を良好に防止している。
【００４５】
図５は本発明の実施の形態２に係る原稿サイズ検知装置の作動を示す。図において、原稿開閉検知手段ＳＢの出力のレベルＬ３は、センサＳＡ１の出力がローレベルからハイレベルに切り替わったハイ・ロー切換タイミングＴ３における値である。
【００４６】
白紙原稿のサイズを検知するタイミングＴ１は開閉検知手段ＳＢの出力がレベルＬ３よりも所定値高いレベルＬ４となったときのタイミングに設定される。また、色紙原稿のサイズを検知するタイミングＴ２は開閉検知手段ＳＢの出力がレベルＬ３よりも所定値低いレベルＬ５となったときのタイミングに設定される。このように、センサＳＡ１のハイ・ローレベル切換タイミングＴ３を基準として、原稿サイズ検知のタイミングＴ１、Ｔ２を設定しているので、図４のように、切換タイミングと原稿サイズ検知タイミングとが接近することによる誤検知が防止される。
【００４７】
なお、誤検知は原稿サイズ検知タイミングＴ１、すなわち、原稿カバー１がある程度開いた状態で検知が行われる白紙原稿のサイズ検知の場合に発生しやすいので、複数のセンサＳＡ１、ＳＡ２、・・・のうちの最も早期に切り替わる切換タイミング、すなわち、原稿カバー１の開放角度が最も大きい角度に対応するタイミングを基準として原稿サイズ検知タイミングＴ１、Ｔ２が設定される。センサＳＡ１、ＳＡ２・・・は原稿カバー１の回転軸ｔａから異なった距離に配置されているが、前記回転軸１ａに最も近い位置に配置されたセンサが、最も早い時期に切り替わるので、該最も近いセンサを出力の切換点が、原稿サイズ検知タイミングの決定に用いられる。
【００４８】
設定は、原稿カバー１を開閉して、複数のセンサＳＡ１、ＳＡ２・・・の出力をモニタし、最も早期に切り替わるタイミングＴ３及びタイミングＴ３における開閉検知手段ＳＢの出力Ｌ３を読み取り、読み取った値に所定値を加減して、レベルＬ４、Ｌ５を設定し、記憶手段５に記憶させるという手順で行われる。
【００４９】
複写工程や原稿読取工程において、原稿サイズ判定手段４は、記憶手段５に記憶されているレベルＬ４、Ｌ５の情報及びセンサＳＡ１、ＳＡ２の出力に基づいて原稿サイズの判定を行う。
【００５０】
図６は本発明の実施の形態３に係る原稿サイズ検知装置の作動を示す。
【００５１】
本実施の形態は、実施の形態１と実施の形態２を組み合わせることにより更に、誤検知の発生確率を低くしたものである。
【００５２】
本実施の形態では、原稿サイズ検知のタイミングＴ１、Ｔ２をセンサＳＡ１、ＳＡ２のハイ・ロー切換タイミングＴ３に基づいて設定している点では実施の形態２と同様であるが、タイミングＴ１、Ｔ２を決定するための開閉検知手段ＳＢの出力レベルＬ４、Ｌ５を、開閉検知手段の出力の最高レベルＬｍａｘと最低レベルＬｍｉｎを用いて設置することにより、誤検知防止を行っている。
【００５３】
すなわち、センサＳＡ１、ＳＡ２の出力の切換のうちの最も早期の切換タイミングＴ３に対応するレベルＬ３よりもΔ１高いレベルＬ４ａを原稿サイズ検知タイミングＴ１を決定するレベルとし、レベルＬ３よりもΔ２低いレベルを原稿サイズ検知タイミングＴ２を決めるレベルＬ５ａとしている。ここに、Δ１、Δ２は最高レベルと最低レベルの差、すなわち、Ｌｍａｘ−Ｌｍｉｎを１００としたとき、１００よりも小さいパーセンテージの値である。
【００５４】
このような設定により、原稿サイズ検知のタイミングＴ１、Ｔ２を決める為のパラメータの全てが装置特有のものからなるので、各装置に最適の原稿サイズ検知タイミングで原稿サイズ検知が行われ、原稿サイズの誤検知が防止される。
【００５５】
なお、レベル４ａ、Ｌ５ａの情報は前記に説明したと同様に、記憶手段６に記憶され、必要に応じて書き換えることができる。
【図面の簡単な説明】
【００５６】
【図１】従来の原稿サイズ検知装置を示す図である。
【図２】本発明の実施の形態に係る原稿サイズ検知装置を示す図である。
【図３】本発明の実施の形態１に係る原稿サイズ検知装置の作動を示す図である。
【図４】誤検知が起こる場合を示す図である。
【図５】本発明の実施の形態２に係る原稿サイズ検知装置の作動を示す図である。
【図６】本発明の実施の形態３に係る原稿サイズ検知装置の作動を示す図である。
【符号の説明】
【００５７】
１  原稿カバー
２  原稿
３  プラテガラス
４  原稿サイズ判定手段
５  記憶手段
６  操作部
ＳＡ１、ＳＡ２  センサ
ＳＢ  開閉検知手段
【図１】
2005338685.tif 000003
【図２】
2005338685.tif 000004
【図３】
2005338685.tif 000005
【図４】
2005338685.tif 000006
【図５】
2005338685.tif 000007
【図６】
2005338685.tif 000008